Podtech/llm-jp-corpus-v4-ja_patent huggingface dataset:
(57)【要約】【課題】従来は、工程が必要とする分工期の日数を要し、費用が嵩んでいた。また、技術だけでは解決不可能なクレームが発生している。本発明は、壁、天井等の室内構造工事、または、屋外工事を簡単、短縮工事で、しかも、安価に精度の高い下地材の施工方法及び施工金具を提供する。【解決手段】本発明は、上記工事の取組み、施工方法の提供であり、凸凹の下地形状の養生と工事の容易さと安価さを配慮した。内部空間に精度を高め、一体型としての機能を備えている。【選択図】図１
2011026937.tif 000002
【特許請求の範囲】
【請求項１】
構造物の内部空間に下地材の施工方法及び施工金具を用いて保持する事を特徴とする。
【請求項２】
構造物の内部、屋外工事においてに部材の内在工法及び金具を用いて保持することを特徴とする。
【請求項３】
請求項１から請求項２の複合を可能としたことを特徴とする。
【請求項４】
構造部に、請求項１から請求項３を限度におかない利用の可能性も本発明の範囲とすることを特徴とする下地材の施工方法。
【発明の詳細な説明】
【技術分野】
【０００１】本発明は、天井、壁、室内インテリア、造園，剪定など、多目的に使用される下地材の施工方法に関する。
【背景技術】
【０００２】各メーカーは下地材工法、部材提案しているが単一であり、多機能にわたる機能は少なく、価格面にも嵩んでいる。【０００３】コンクリート下地は面が粗い事もあって修正の必要があり、施工に難点な素材があることから、多目的な用途に対応できる下地材を望んでいる。
【発明の開示】
【発明が解決しようとする課題】
【０００４】本発明は、工程が必要な分工期がかかることから、容易な施工方法及び施工金具を提供する。
【課題を解決するための手段】
【０００５】従来の課題解決は、下地材、金具施工を両側の保持手段で形成された事を特徴とした。その構造物の内部空間を下地材で活用し、対象物の一辺を固定する事で性能を高め、一体型としての機能を提供する。
【発明の効果】
【０００６】本発明により、クサビによる下地養生、工法が一体型工程であることから工期の短縮による経済効果がある。
【発明を実施するための最良の形態】
【０００７】建物構造空間内部工事に下地材の施工方法及びクサビ型、施工金具方法適用を実施することからも、室内空間の広いところも、本発明工法技術でもって連結機能をもつ構造による工事が容易になり、仕様に合わせて天井、複雑構造にも適用可能とし、形成性能の効果が高められる。
【産業上の利用可能性】
【０００８】多様性を配慮した下地材の施工方法は、任意の範囲を広くして、効果を与える利用可能性を提供する。【０００９】建物室内構造の壁、天井等の一体構造の施工方法の適用と作業向上への利用可能性をもつ。【００１０】本発明の構造は、室内、屋外作業において、作業工夫によって、構造発展性が発揮される。作業工夫による使用は発明の限定に置かない利用可能性をもつ。
【図面の簡単な説明】
【００１１】
【図１】本発明の下地材の斜視図
【図２】本発明の断面図
【図３】本発明のクサビ、金具構造の断面図
【符号の説明】
【００１２】１、本発明の下地材
２、クサビ材
３、釘、コンクリート材
４、支持金具
５、保持材
【図１】
2011026937.tif 000003
【図２】
2011026937.tif 000004
【図３】
2011026937.tif 000005
(57)【要約】【課題】水力発電用導水路、農業用排水路の取（排）水施設に設けられた鋼製スクリ−ンでは除去しきれない塵芥を除去するために、低コストであり、長期の使用に耐えうる高耐久樹脂ネットによる簡易除塵設備を提供する。【解決手段】簡易除塵設備Ｘの構成の固定用ワイヤー（Ａ）を水路天端の固定用フック（Ｇ）にセットし、下段フラットバー（Ｃ）を、既存鋼製スクリーンの下段まで垂し、セットを完了する。水路より流下してくる塵芥を簡易除塵設備の高耐久樹脂ネット（Ｂ）が捕捉したら下端フラットバー（Ｃ）の中央部に設置している引き上げ用ワイヤー（Ｆ）を天端フラットバー（Ｄ）中央部の経由アイボルト（Ｅ）を介し、人力により引き上げ、天端フラッットバー（Ｄ）と下段フラットバー（Ｃ）が重なったら、引き上げ用ワイヤー（Ｆ）から上下段フラットバー（Ｃ、Ｄ）に持ち替え、水路外へ持ち出し、塵芥を除去する。【選択図】図１
2011026939.tif 000002
【特許請求の範囲】
【請求項１】
水力発電用の導水路、上下水処理場、農業用排水路の取水口に設けられた鋼製スクリーンでは除去しきれない塵芥を、高耐久樹脂ネットを用い人力で塵芥の除去又は揚棄ないしは回収するようにしたことを特徴とする簡易除塵設備。
【請求項２】
高耐久樹脂ネットの両端にワイヤーロープを配し、ネット下端に配した平綱の両端に連結し、下端平綱の中央部または、両端部に引き上げ用ワイヤーロープを配した請求項１に記載の簡易除塵設備。
【発明の詳細な説明】
【技術分野】
【０００１】本発明は、河川、発電用、農業用水路の簡易除塵装置に関する。
【背景技術】
【０００２】従来の鋼製スクリーンは、縦格子間隔が広く、大きな塵芥は捕捉しても、縦格子間隔より小さい塵芥は、すり抜けてしまう。そのため、水路末端の揚（排）水機（ポンプ）の取水口に小さな塵芥が目詰まりをおこし、異常動作により壊れることがある。また、従来の鋼製スクリーンの場合、ほとんどが固定スクリーンであり、スクリーンに溜まった塵芥を管理人がレーキ（熊手）により除去しているのが現状であり、その作業時間および、人件費用対効果の面で負担が大きく、また作業時の時間が長いことも安全の面で危惧されている。従来的な定置式除塵機は、設置箇所に合わせた単品生産による専用機械であり、大かかりな工事を必要とするため、大変高価である。しかも、設置後の維持・修繕費も嵩む。
【先行技術文献】
【特許文献】
【０００３】特開２０００−１８３７
【発明の概要】
【発明が解決しようとする課題】
【０００４】既存鋼製スクリーンの前面に設け、今までは既存鋼製スクリーンを通過していた細かい塵芥（ゴミ）捕捉・除去する、吊り上げ式の人力除塵装置である。
【課題を解決するための手段】
【０００５】本発明は、簡易除塵設備Ｘの構成の固定用ワイヤー（Ａ）を水路天端の固定用フック（Ｇ）にセットし、下段フラットバー（Ｃ）を、既存鋼製スクリーンの下段まで垂し、セットを完了する。水路より流下してくる塵芥を簡易除塵設備の高耐久樹脂ネット（Ｂ）が捕捉したら下端フラットバー（Ｃ）の中央部に設置している引き上げ用ワイヤー（Ｆ）を天端フラットバー（Ｄ）中央部の経由アイボルト（Ｅ）を介し、人力により引き上げ、天端フラットバー（Ｄ）と下段フラットバー（Ｃ）が重なったら、引き上げ用ワイヤー（Ｆ）から上下段フラットバー（Ｃ、Ｄ）に持ち替え、場外へ持ち出し、塵芥を除去する。
【発明の効果】
【０００６】製品が軽量であるため、設置・取り外しが楽であり、設置・取り外し時に取（排）水制限または、停水の必要がない。既存鋼製スクリーンならび、水路には一切の加工が必要ない。したがって水路に関する工事の必要がない。製品部材が少なく初期投資も少なく済み、作業機械は一切必要とせずランニングコストは０である。トータルコストも初期投資分のみで経費節減の効果が大きい。ほぼ、メンテナンスフリーであるが、市販の部材を多く使用しているため耐久性、信頼性に優れ、部材の供給体制が整っており、早急な対応が可能である。塵芥を除去する量が既存のレーキによる作業より増加するので、現場作業時間が短縮され、安全性の向上に繋がる。
製品加工時、設置時、作業時はすべて人力によるものであり、Ｃｏ２の排出は０であり、地球環境に対して効果がある。
【図面の簡単な説明】
【０００７】
【図１】本発明の全体図。
【図２】本発明の動作手順。
【発明を実施するための形態】
【０００８】本発明の実施の形態は、既存スクリーン上にネットスクリーンを配し、流れてきた塵芥を包みこみ場外へ除去することである。ネットの網目の形態は、菱形、亀甲型などあるが、接合部の屈曲が自在な亀甲型の網を使用する。
【０００９】ここで、簡易除塵設備の作用効果は、第一に安全であること、第二に低コストであること。第三に作業能率の向上である。したがって、現状の作業効率に対して作用効果を向上させることが、費用対効果の面で大きな改善が図れる。
【実施例】
【００１０】簡易除塵設備Ｘの構成の固定用ワイヤー（Ａ）を水路天端の固定用フック（Ｇ）にセットし、下段フラットバー（Ｃ）を、既存鋼製スクリーンの下段まで垂し、セットを完了する。水路より流下してくる塵芥を簡易除塵設備の高耐久樹脂ネット（Ｂ）が捕捉したら下端フラットバー（Ｃ）の中央部に設置している引き上げ用ワイヤー（Ｆ）を天端フラットバー（Ｄ）中央部の経由アイボルト（Ｅ）を介し、人力により引き上げ、天端フラットバー（Ｄ）と下段フラットバー（Ｃ）が重なったら、引き上げ用ワイヤー（Ｆ）から上下段フラットバー（Ｃ、Ｄ）に持ち替え、場外へ持ち出し、塵芥を除去する。図２参照。
【産業上の利用可能性】
【００１１】水力発電導水路、工場排水路、農業用排水路
【符号の説明】
【００１２】Ａ  固定用ワイヤロープ
Ｂ  高耐久樹脂ネット
Ｃ  下段フラットバー
Ｄ  上段フラットバー
Ｅ  両端ワイヤロープ固定用アイボルト
Ｆ  引き上げ用ワイヤロープ
Ｇ  引き上げ用ワイヤロープ固定用アイボルト
Ｈ  引き上げ用ワイヤロープ経由用アイボルト
Ｉ  ワイヤロープ締め付けスリーブ
Ｊ  簡易除塵装置固定用アンカー
Ｘ  簡易除塵装置（本発明）
【図１】
2011026939.tif 000003
【図２】
2011026939.tif 000004
(57)【要約】      （修正有）【課題】水洗トイレの便器上面部を洗浄する洗浄機を提供する。【解決手段】水洗トイレの洗浄水給水配管から分岐し、便器１上面に洗浄水を給水可能な先端ノズル５を設けた配管６を設け、大、小便後に便器１の上面部に洗浄水を流し、大、小便等の付着物を洗浄除去可能にした。【選択図】図１
2011026931.tif 000002
【特許請求の範囲】
【請求項１】
一般水洗トイレの便器上面部に．大．小便等の付着物を洗浄するものである。
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】従来の一般水洗トイレは．大．小便後の便器上面部の付着物は流れない為．汚れ．臭い等が残る。
【課題を解決するための手段】大．小便後に．便器の上面部に水を流すことにより大部分を洗浄するものである。
【発明の効果】汚れ．臭い等の大部分が流れる為．美観が保たれる。
【図１】
2011026931.tif 000003
【手続補正書】
【提出日】平成21年11月24日(2009.11.24)
【手続補正１】
【補正対象書類名】明細書
【補正対象項目名】全文
【補正方法】変更
【補正の内容】
【発明の詳細な説明】
【技術分野】
【０００１】  本発明は、一般水洗トイレの洗浄に関する。
【発明の概要】
【発明が解決しようとする課題】
【０００２】  従来の一般水洗トイレは、大・小便後の便器上面部の付着物は流れない為、汚れ・臭い等が残る。
（現状は小便後、便器上面部の尿等付着物はトイレ紙を濡らして手で拭き取っている）【０００３】  大・小便後に、便器の上面部に水を流すことにより大部分を洗浄するものである。
【発明の効果】
【０００４】  汚れ、臭い等の大部分が流れる為、トイレ紙を濡らして手で拭き取る手間が省け、トイレ紙節約にもなり。美観が保たれる。
【図面の簡単な説明】
【０００５】
【図１】平面図（１）は便座を下げた時、上面部洗浄の水の流れ。平面図（２）は、便座を上げた時、上面部洗浄の水の流れ。
【発明を実施するための形態】
【０００６】  トイレ使用後のタンク上部手洗い用ノズル両側面から配管（符号５〜７）し、便器上面部を洗浄する。
（上部手洗い用ノズルの流量が多い為それを使用する）
【産業上の利用可能性】
【０００７】  タンク上部手洗い用ノズル両側面から配管するため、少しのコスト増で済む。又、便器本体の上面部に少し勾配を付けるだけで、便器本体の型の一部修正で収まる。（便器上面部洗浄に関して一般家庭用又は、あらゆる分野における利用価値があります。製造メーカー側も、あまりコストがかからない為、使用者側共メリットがあると思われます）。
【符号の説明】
【０００８】  符号１〜４まで既設の水洗トイレ、５先端ノズル、６〜７配管
(57)【要約】      （修正有）【課題】降雪量が非常に多く、大量の雪を連続投入しても蓄熱水の水温が下がり続けないようにした融雪槽を提供する。【解決手段】融雪槽内に水中ポンプ１３を配し、その水中ポンプ１３に接続する共通管１４を介して分岐管１７を設け、一方を開口管１８から噴き出し、もう一方を排水の為、雨水桝へ繋ぐ。分岐管17の先端開口を上向きに配し、噴き出し水を作る事を特徴とする蓄熱式電気融雪槽である。【選択図】図１
2011026935.tif 000002
【特許請求の範囲】
【請求項１】
融雪槽内に水中ポンプを配する一方、水中ポンプに接続する共通管を介して排水管と分岐管を設け、分岐管の先端開口を上向きに配したことを特徴とする蓄熱式電気融雪槽である。
【発明の詳細な説明】
【発明の詳細な説明】
【技術分野】
【０００１】  本発明は、電熱加熱ヒーターによって雪を解かす装置に係り、融雪槽内の大量の水を夜間電力で加熱し、蓄熱して融雪をする蓄熱式融雪槽の排水管構造に関する。
【背景技術】
【０００２】  都市部では宅地面積が小さく隣家が接近し、空き地が少ない。冬期に大量の降雪処理に大変お金が掛かっている。イニシャル・メンテナンスコストの安価な施設が求められ、深夜電力を利用した電熱加熱による蓄熱の融雪処理が好感されるようになった。従来のバーナー装置を用いた強制的な融雪構造をとらないので、構造が簡単になり、設備コストや毎冬期に要するランニングコストが格段に低減出来る。蓄熱式電気融雪槽の構造は、例えば図３に示す様に地面Ｇの下にコンクリート桝（融雪槽）１を埋設し、コンクリート桝の内部に電熱加熱ヒーター２を配する一方、融雪による発生水３ををオーバーフロー４により、下水溝５に排出するようになっている。【０００３】  蓄熱式電気融雪槽は融雪機に比べて槽が大きく、多量に貯めた水が蓄熱体（蓄熱水）である。料金的に有利な深夜電力を用いて蓄熱水を沸きあげ、終日の降雪に備える。灯油式の融雪機に比べ、熱源が電気なので音がなく、帰宅してからでも隣人に気兼ねなく雪処理作業が出来、蓄熱水の熱量がある迄、すぐに解ける。解け残りは翌日の加熱時までシャーベット状で浮き残す。単純で一定の効果を発揮する。
【発明が解決しょうとする課題】
【０００４】  係る装置に於ける難点は、降雪量が非常に多い場合、大量の雪を投入する為、連続投入に伴い蓄熱水の水温が下がり続け、遂に蓄熱水の熱量が枯渇して解け残りが発生する。さらに投入するには“押し棒”で解け残り雪を押し込めて水を染み込ませ、シャーベット状にして雪密度を増し、隙間を作る。路面に堆積しているマイナス温度の雪を温度の下がった蓄熱水に人力で詰め込む作業はかなり困難を極めている。
【０００５】  融雪で発生した蓄熱水の排出量は、生活排水に比べて、極めて少なく、その量は地中に浸透させても充分に浸透出来る量である。槽の底面を解放して自然浸透させる機種もあるが、蓄熱式は水を貯め、それを蓄熱媒体として使用するので、槽の壁に排水用の穴を設け所定量の蓄熱水を確保して、そこから自然浸透で排水する。地下水位は地形や土質・季節等によっても異なり、高い所では解けてオーバーフローした水が、槽の周りの土を膿ませ、数年後に流動現象により槽が浮き上がる現象が発生する。特に春先は周りの堆積雪も解けるので、排水工事が重要である。
【発明が解決するための手段】
【０００６】  問題を解決する為、本発明に係る図１蓄熱式電気融雪槽１１に電熱加熱ヒーター１２と水中ポンプ１３を配し、水中ポンプに接続させた共通管１４の後段Ｔ字管１５を介して分岐管１７を設け、配水管を上側に配して横引き管１６−１を経て雨水桝１９に接続する。分岐管を下側に配し、先端に開口管１８を上向きに設定する。即ち、分岐管はＴ字状になり、開口管１８−１の大きさは分岐管より細くする。
【０００７】  蓄熱式融雪槽配管形状は図３に蓄熱水２１を所定水位２１−１まで張り、水中ポンプを駆動して、持ち上げ水位２２に定まる様に開口管１８−１の大きさを調整する。即ち、水中ポンプの出力は常に一定で、開口管から噴き出す。噴き出し抵抗により持ち上げ水位が変わる。
【発明が解決した結果】
【０００８】  大気圧は蓄熱水の所定水位と持ち上げ水位に同じで、水中ポンプの駆動により、持ち上げ水圧の圧力の力で、底面の噴き出し管から噴水の如く蓄熱水が噴き上がり、今迄の解け残り雪の“押し棒”作業が解消された。
【０００９】  水中ポンプの設置により持ち上げ水位が担保され、必然的にオーバーフローで排水横引き管が浅く、道路端の浅い側溝に排水出来るようになり、排水工事が軽減され、工事コストも下がる。
【００１０】  熱源が電気で、時間帯別電灯契約の夜間５時間通電割引額は季節に関係なく、年中適用されるので、蓄熱媒体である蓄熱水は季節に関係なく、絶対量以上、常に保有していなければならない。少量の雪投入は、隙間が確保出来ればポンプの稼働を必要としない場合もある。また、ポンプにゴミ等がからみ排水出力が落ちると所定水位が上がり、蓄熱水量が増えるが、条件は満たされる。また、災害時の緊急水としても活用出来る。融雪槽本体の材質は金属・樹脂でも良い。
【図面の簡単な説明】
【図１】  本発明に係る蓄熱式電気融雪槽の実施形態を示す側断面図である。
【図２】  本発明に係る排水／分岐パイプを拡大して例示する図である。
【図３】  本発明に係る電熱加熱ヒーターと蓄熱水位及び雨水桝の位置を示す図である。
【符号の説明】１        コンクリート桝
２        電熱加熱ヒーター
３        発生水
４        オーバーフロー
５        下水構
１１      蓄熱式電気融雪槽
１２      電熱加熱ヒーター
１３      水中ポンプ
１４      共通管
１５      Ｔ字管
１６      配水管
１６−１  横引き管
１７      分岐管
１８      開口管
１９      雨水桝
２１      蓄熱水
２１−１  所定水位
２２      持ち上げ水位
【図１】
2011026935.tif 000003
【図２】
2011026935.tif 000004
【図３】
2011026935.tif 000005
(57)【要約】【課題】世の中には，土嚢袋等紐付き袋を締め付けて結ぶ事を不得意とする人は少なくない，又災害時の土嚢袋については，一刻も早く紐を結ばないと人命にかかわる問題である．【解決手段】本発明品は，コンパクトであるが紐をロックする力は強力で，しかも紐を押さえてロックする力が軽く女性や子供でも簡単に使用出来るため，一般の人に提供出来る紐付き袋口締め付けストッパー．【選択図】図２
2011026933.tif 000002
【特許請求の範囲】
【請求項１】
紐をロックするシステムは，図３の蓋Ｆの爪２と底Ｇの爪３は（１０）から（１３）までの過程で紐をおさえてロックする事を特徴とする．
又ロックされた蓋を解放する時は，図３の（１３）に示す，ロック開放ボタン５を図５の（２１）に示すように，矢印８の方向へつまむとロックが外れ，そのまま上に上げると蓋Ｆは解放される事を特徴とする．
【請求項２】
紐がロックされた状態は図４の．断面Ａ−Ａに示すように蓋Ｆの紐押さえ爪２と底Ｇの紐押さえ爪３で紐Ｈを挟んでロックする，つまり紐をつまむとゆう仕組みである，これよって蓋Ｆを押さえてロックする力が軽減される事を特徴とする．さらに図３のＣとＤに示すように，この間を長くしたため，図３のＥの部分の弾力が減少するため蓋Ｆと底Ｇを，ロックする力が軽減される事を特徴とする．
【請求項３】
紐の中では土嚢袋の紐のようにビニールの紐はすべりやすいため，図４の断面Ａ−Ａに示すように，蓋の紐押さえ爪２と底の紐押さえ爪３の数を増やすことによって紐のロックが強力になる事を特徴とする．
【請求項４】
図３の紐挿入口４に示す，すき間は紐を器具内に挿入するためのすき間である，又丸い形状の紐がそのすき間を通る時の紐の形状は平らとなり．器具内に入いると元の形状に戻る，そして使用中紐は外れる事はない，又紐を器具内から外す時の工程は器具内から上方向へ引っ張れば簡単に外れる事を特徴とする．
【発明の詳細な説明】
【発明の詳細な説明】
【技術分野】
【０００１】この発明品は，土嚢袋等一般の締め付けの紐が付いた袋口を締め付てロックする紐付き袋口締付けストッパーに関するものである．
【背景技術】
【０００２】従来この種の機能を持つ品物は少なくない，一例として土嚢袋用のものはあるが，物が大きく土嚢袋専用のため紐の大きしが変わるとロック出来ないため一般向ではない．
【発明が解決しようとする課題】
【０００３】この発明品は，土嚢袋をふくめ一般向けの紐ストッパーを提供する事を目的とするため，発明品の軽量化，低コスト，小型化，紐を押さえてロックする力の軽減，強力な紐のずれ防止のロック等の機能を持つ，紐付き袋口締め付けストッパーを提供する．
【課題を解決するための手段】
【０００４】発明品の小型化により，金型の取数が増えコストダウンとなる，
この発明品の金型が二枚割りで出来るように製品設計をしてあるため金型費が安すくなるため，コストダウンとなる．
【発明を実施するための形態】
【０００５】紐がロックされた状態は図４の断面Ａ−Ａに示すように，蓋Ｆの紐押さえ爪２と底Ｇの紐押さえ爪３で紐Ｈを挟んでロックする，つまり紐をつまむという仕組みである，これよって蓋Ｆを押さえてロックする力が軽減される事を特徴とする．さらに図３のＣとＤに示すように，この間を長がくしたため，図３のＥの部分の弾力が減少するため蓋Ｆと底Ｇのロックする力が軽減される事を特徴とする．
【０００６】紐の中では土嚢袋の紐のようにビニールの紐はすべりやすいため，図４の断面Ａ−Ａに示めすように蓋の紐押さえ爪２と底の紐押さえ爪３の数を増やすことによって紐のロックが強力になる事を特徴とする．
【０００７】図２に示すように，紐付き袋口を締め付ける手順として，紐ストッパーＳ−１に紐を挿入し，そのまま袋口を締め付けＳ−２に示すように蓋を閉めロックして袋口締付け完了となる，又紐のロックを解放する時は，図３の（１３）のロック開放ボタン５をつまんで上方向へ開ければ紐のロックは開放となる．
【０００８】紐をロックするシステムは，図３の蓋Ｆの爪２と底Ｇの爪３は（１０）から（１３）までの過程で紐をおさえてロックする事を特徴とする．
又ロックされた蓋を解放する時は、図３の（１３）に示めすロック開放ボタン５を図５の（２１）に示めすように矢印８の方向へつまむとロックが外れ，そのまま上に上げると蓋Ｆは開放される事を特徴とする．
【発明の効果】
【０００９】この発明品は，紐の太さがかわっても対応出来るため，はばひろく提供出来る効果．
蓋を押さえて紐をロックする力が軽いため，女性や子供でも気軽るに使用出来る効課．
【産業上の利用加能性】
【００１０】この発明品は，コンパクトで又紐のロックが強力である，さらに低価格のため，あらゆる分野に提供出来る可能性がある．
【図面の簡単な説明】
【００１１】
【図１】本発命品の図面．
【図２】袋を締め付ける状態の見取り図．
【図３】本発明品に紐を挿入し，折りたたんで紐をロックする工程とその断面図．
【図４】紐をロックする過程とロックを開放する過程の断面図．
【符号の設名】
１      袋
２      蓋の紐ロック爪
３      底の紐ロック爪
４      紐の挿入口
５      ロック開放ボタン
６      蓋ロック爪
７      底ロック爪
８      ロック開放ボタンを押す矢印
Ｈ      紐
Ｅ      蓋の紐ロック爪のクッション
Ｓ−１  袋口を締め付ける前の本発明品
Ｓ−２  袋口を締め付けてロックした状態の本発明品
【図１】
2011026933.tif 000003
【図２】
2011026933.tif 000004
【図３】
2011026933.tif 000005
【図４】
2011026933.tif 000006
【図５】
2011026933.tif 000007
【手続補正書】
【提出日】平成21年10月7日(2009.10.7)
【手続補正１】
【補正対象書類名】明細書
【補正対象項目名】００１１
【補正方法】変更
【補正の内容】
【００１１】
【図１】  本発明品の図面
【図２】  袋を締め付けるまでの見取り図
【図３】  本発明品に紐を挿入し、紐をロックするまでの工程の見取り図
【図４】  紐をロックまでの工程の断面図と、ロックした紐を開放する工程の断面図
【図５】  紐をロックまでの工程の断面図と、ロックした紐を開放する工程の断面図
【符号の説明】
１        袋
２        蓋の紐ロック爪
３        底の紐ロック爪
４        紐の挿入口
５        ロック解放ボタン
６        蓋のロック爪
７        底のロック爪
８        ロック解放ボタンを押す方向の矢印
Ｈ        紐
Ｅ        蓋ロック爪のクッション
Ｓ−１    袋口を締め付ける前の本発明品
Ｓ−２    袋口を締め付けてロックした状態の本発明品
(57)【要約】【課題】この考案は、出願者本人が体験したことを説明したものである。平成１７年５月２５日、糖尿病と高血圧脳梗塞半身麻痺で入退院後、自宅で足に火傷を負い、その時に偶然、出願者の居住地域で治療効果が伝承されているアロエを塗布することで７ヶ月で火傷は全快した。そこで、不思議なことに気付いた。それは、入院中も退院後も正常に戻ることのなかった血圧が、火傷が全快するころになって血圧が正常に戻っていたことである。１．  火傷で破壊された筋肉や皮膚が完全に回復したその効果２．  高血圧で失った血管の伸縮機能が回復した効果これらの効果は無毛の頭皮にも効果があるのではないかと考えた。【解決手段】そこで、無毛の頭皮を鏡で見て、膚色に光り毛穴がない頭皮を指先で軽く押してみると、頭皮の下に下肉が感じられなかった。それでも頭皮や筋肉が腐敗したり、死滅したものではないと考え、アロエによる血行強化を試み、果実酒用ホワイトリカー（アルコール分３５％）を加えて合成した血行補強溶液で頭皮復元に成功した。【特許請求の範囲】
【請求項１】
アロエ種類キダチ２ｋｇを水洗いし、１日間天日にて乾燥し、容器内に入れ、その容器内に果実酒用ホワイトリカー（アルコール分３５％）を１．８ｌを注入密封。６ヶ月間保存。
容器内で合成抽出した溶液が含有する成分の全てである。
この療法の目的は、無毛の頭皮を復元させる効果であり、その製造方法である。
【請求項２】
その血行補強溶液に含有する成分全てである。
【発明の詳細な説明】
【０００１】血行の効果を高めて、無毛の頭皮の回復を促進させる効果である。
【０００２】考案者は８０歳の老人で、抜け毛により無毛になった頭皮を４０年間放置していたが、以下に記述する実施例で説明の通り、考案者が開発した創作液で発毛に成功した。
長年放置した老人の頭皮に発毛が可能であったことにより、抜け毛や若禿げで困っている人に役立つのではないか考え、この療法を浸透させ、この難問を解決しようとするものである。
【０００３】この療法は自然食品を使い、創作したものであり、人体には無害である。
【技術分野】
【０００１】出願者は８０歳の老人であるが、４０歳頃から抜け毛が始まり、２年前まで頭頂部全体が無毛だったが、アロエ療法を始め、火傷も血圧も正常に回復した。
これらの回復効果は、血行の良し悪しにより効果に違いがあるのではないかと考え、アロエによる血行強化を考え始め、試行錯誤のうえ、アロエに果実酒用ホワイトリカー（アルコール分３５％）を加えた血行補強溶液を創作し、無毛の頭皮の復元に成功した。
これは、血行が高まったことにより効果が得られたものであり、抜け毛が始まる初期段階でこの療法を用いることにより、禿げ頭になる不安を解消することができる。また、忍耐強く続けることが必要である。
この溶液自体が抜け毛予防や発毛促進を行う技術である。
【背景技術】
【０００２】一般的に、医薬品や医薬部外品として市場に出回っている育毛剤や発毛促進剤などは、老若男女を問わず、無毛の頭皮に効果のあるものではないのが現状である。
脱毛や若禿げ悩んでいる人や困っている人に役立つのでないかと考え、この療法を浸透させ、この難問を解決しようとするものである。
【技術分野】
【発明の開示】
【発明が解決しようとする課題】
【０００３】現代社会は、進化した文明社会であるが、人が集まる場所やテレビなどを見ると、著名な政治家や医学者、科学者等にも無毛の人が目立つ。
老若男女を問わず、無毛の頭皮に発毛の効果があるものはない。この発明は、その難点を克服するものである。
【課題を解決するための手段】
【０００４】松坂のブランド牛生産地では、日本人の好む牛の飼育において、焼酎を体全体に塗布し、朝晩磨き、血行を高める効果を上げていると云う。
我が家では、祖母が生前、梅酒を作り保存していたが、それは、腹痛や発熱予防等の健康維持のためのものと聞いている。
この溶液による療法は、人や家畜の健康や形態を改善する効果があると考えられる。
そこで、血行の促進を高めるアロエに果実酒用ホワイトリカー（アルコール分３５％）を加えて、血行補強溶液を考案、創作した。
【技術分野】
【発明の効果】
【０００５】この療法で、何度となく難病を克服し、自分のことは自分でできる幸せな老後を過ごしている。
考案者は、この療法を創作する前に、夢や想像が色々、頭を巡り、その期待が頭の中で重なり合うなか、病を患い迷走した。
しかし、病から回復し、血行補強溶液療法を根気強く続けることで、期待通り、頭皮の発毛に成功した。但し、火傷、傷害、裂傷、病気などは、この療法の例外である。
【実施例】
【０００６】出願者の場合、頭頂全体が無毛で肌色に光り、円形に大きく拡大していた。
その円形に拡大した無毛部分全体に、出願者が開発した創作溶液を朝晩、塗布し続けて３年余り、無毛部分と残毛部分との境目の周辺を指先で触ると、産毛のような軟毛を指先に感じ、発毛を確認した。
最初に抜け毛が始まった無毛部分は、大きく拡大。頭頂全体に大きく拡がってきた。その道を通り、生え始めた軟毛は、出願者が考案し、創作した溶液の効果により、養われ育てられ、硬毛に変わり、成長しながら、最初に抜け毛が始まった発症地点の方向に向かって快復する。これが無毛頭皮の発毛に成功した証しである。
(57)【要約】【課題】水素発生物質を人体内に滞留させ、長時間水素ガスを発生させる調製方法及び滞留方法を提供する。【解決手段】水と接触することにより分解し水素ガスを発生する固体粉末を、脂肪酸エステルをシェル材として、溶融分散冷却法という簡単な方法によりマイクロカプセルを調製する方法および人体内で長時間水素ガスを発生させる方法。【選択図】図１
2011026211.tif 000002
【特許請求の範囲】
【請求項１】
水と接触することにより分解し水素ガスを発生する固体粉末を、脂肪酸エステルをシェル材として、溶融分散冷却法によりマイクロカプセルを調製する方法。
【請求項２】
体内において、温度、酵素、pHなどの各種刺激によりカプセルシェルを崩壊して水素ガスを安定的に発生させることができるマイクロカプセルを使用した水素供給方法。
【発明の詳細な説明】
【技術分野】
【０００１】
本発明は  例えば食品素材等に添加使用され水分と接触することにより分解し水素を発生する物質を含有する粉末を、食品素材の味を損なうことなくヒト等の消化器官中で長期間（１０〜１５時間）安定的に水素を発生させることのできるように、上記粉末の外側を覆うカプセル化に関する。
【背景技術】
【０００２】
水素ガスは、体内において各種腫瘍の治癒効果や老化を促進する物質を科学的に不活性化することが報告されている（例えば非特許文献１など）。
【０００３】
ところで、固体粉末のマイクロカプセル化はこれまでにも多く実施されているが、体内におけるpHなどの刺激に対応する物質により水素発生物質をマイクロカプセル化した実例はない。
【先行技術文献】
【特許文献】
【０００４】
【特許文献１】特開２００５−２４５２６５「食べるマイナス水素イオンの製造方法」
【特許文献２】特表２０００−５１７３１１「水素含有薬剤」
【０００５】
【非特許文献１】Ohsawa, I., Ishikawa, M., Takahashi, K., Watanabe, M., Nishimaki, K., Yamagata, K., Katsura, K.-I., Katayama, Y., Asoh, S., Ohta, S., “Hydrogen acts as a therapeutic antioxidant by selectively reducing cytotoxic oxygen radicals.”, Nat. Med. 13:688-694. (2007)
【発明の概要】
【発明が解決しようとする課題】
【０００６】
従来技術としては、水素水として市販されている飲料水もそれなりの効果が期待できるが気体、液体中の水素は人体内での滞留期間が１〜２時間と短く効果の持続性に課題があった。
【０００７】
このほか水素ガスを溶液、分散液、エマルジョン、フォーム、粒子状材等で吸入可能な形態としたものもあったが、同様に滞留期間が短いとの問題があった。
【課題を解決するための手段】
【０００８】
耐水性が強く、かつpH応答性のある脂肪酸エステルにより、水溶性固体粉末をカプセル化し、口を経由して人体に入れると10時間以上水素を供給することができる。
【発明の効果】
【０００９】
マイクロカプセル化により、粉状のままでは従来不可能であった各種液体中（飲料水、ビール、炭酸飲料、レトルト食品、菓子類、液体サプリメント等）に安定混入・保存でき体内の消化器官にて長時間水素を発生し続け、活性酸素等の除去に効果が期待できる。
【発明を実施するための最良の形態】
【００１０】
具体的な水素含有粉末の例としてサンゴを使用した粉末があり、食べるマイナス水素イオンの製造方法（特開2005-245265）、サンゴ粉の製造方法（特許第4233601）がある。これらの方法で製造した粉末を、溶融脂肪酸エステル（トリパルミチン、トリラウリン、トリステアリン、トリオレインなど）や脂肪酸（ステアリン酸、パルミチン酸、ラウリン酸、オレイン酸など）中に微分散させて、固体粉末がこれら脂肪酸エステルや脂肪酸に分散した（S/O）分散系を調製し、その後、この（S/O）分散系を連続水相中で目的の大きさの油滴まで微小液滴化して（S/O）W分散系を生成する。それからこの分散系の温度を脂肪酸エステルや脂肪酸の融点温度以下に降温して固化させることによりマイクロカプセルを生成する。図１にマイクロカプセルが液中に分散している様子を示す。マイクロカプセルは水素含有粉末１とシェル２から構成される。
【００１１】
このようなマイクロカプセル調製において、大豆レシチンや卵黄レシチンを脂肪酸エステルや脂肪酸に溶解し、水素発生固体粉末表面に吸着させて疎水化してやることにより、固体粉末のマイクロカプセル化効率と耐水性が著しく向上させることができる。また、マイクロカプセルのシェルを形成する脂肪酸エステルや脂肪酸の物理化学的性質により、耐酸性や耐アルカリ性などのpH応答性、カプセル崩壊温度応答性、酵素崩壊性などを付与することができる。
【図面の簡単な説明】
【００１２】
【図１】マイクロカプセルが液中に分散している様子
【符号の説明】
【００１３】
１  マイクロカプセル内の水素発生粉末（サンゴ粉など）
２  マイクロカプセルのシェル（脂肪酸エステルなど）
【図１】
2011026211.tif 000003
(57)【要約】【課題】  本発明は台所や浴室のごみを直接袋に入れるため衛生的であり掃除の必要もなく、ごみ袋も保持具の開口巾以上のものであれば全て通用し経済的であるごみ袋保持具を提供する。【解決手段】  １本の線棒の両端を下方に折り曲げ脚（２）とし２本の脚（２）の間には幅を持たせ残りの中央部は楕円形に形成した本体（１）の脚（２）の部分には吸盤（３）を設置し、最先端に球（４）を設置したことを特徴とするごみ袋保持具。【選択図】図１
2011026107.tif 000002
【特許請求の範囲】
【請求項１】
本体（１）は、１本の線棒の両端を下方に折り曲げ脚（２）とし２本の脚（２）の間には、幅を持たせ残りの中央部は楕円形に形成した本体（１）コーナーに対応し脚（２）の部分には吸盤（３）を設置することで本体（１）を取り付け脚（２）の最端部には球体（４）を設置することで吸盤（３）を取り付けた面に対し梃子の役割でごみの重さに対応することを設けたことを特徴とするごみ袋保持具。
【発明の詳細な説明】
【技術分野】
【０００１】  本発明は、台所や浴室のごみを直接袋に入れるためのごみ袋保持具に関するものである。
【背景技術】
【０００２】  従来、台所や浴室のごみは、三角コーナーやくず箱を使用しているが入れ物が汚れた場合は洗う必要もあり、床に置くことでスペースも取り邪魔でもあった。
フリーサイズ型袋体ホルダーが提案されていた（特許文献１参照）。
コーナー水切り袋支持具が提案されていた（特許文献２参照）。
ゴトク型三角コーナーが提案されていた（特許文献３参照）。
ペーパーキッチン三角コーナーが提案されていた（特許文献４参照）。
【先行技術文献】
【０００３】
【特許文献１】  特開２００８−２３０８４７号公報
【特許文献２】  特開２００７−２０４２３３号公報
【特許文献３】  実開平６−５６００９号公報
【特許文献４】  登録実用新案第３１０２２１３号公報
【発明の概要】
【発明が解決しようとする課題】
【０００４】  そのため、次のような問題点があった。
三角コーナーは、汚れた場合は、ヌメリが出て不潔で洗う必要があった。
また、スペースも取り邪魔でもあった。
本発明は以上の問題点を解決しようとするものである。
【課題を解決するための手段】
【０００５】  本体（１）は、１本の線棒の両端を下方に折り曲げ脚（２）とし、２本の脚（２）の間には幅を持たせ、残りの中央部は楕円形に形成した本体（１）の脚（２）の部分には吸盤（３）を設置し、最先端に構成する。
以上のように構成されたごみ袋保持具。
【発明の効果】
【０００６】    本発明は、台所や浴室のごみを直接袋に入れるため衛生的であり掃除の必要もなく、ごみ袋も保持具の開口巾以上のものであれば全て通用し経済的である。
【図面の簡単な説明】
【０００７】
【図１】  本発明の斜視図である。
【図２】  本発明の使用状態を示した説明図である。
【図３】  本発明の使用状態を示した説明図である。
【図４】  本発明の使用状態を示した説明図である。
【発明を実施するための形態】
【０００８】  以下、本発明の実施の形態について説明する。
硬い素材から成る線棒の楕円形に形成した本体（１）の脚（２）の部分に吸盤（３）を設置し、その最端に球体（４）を設ける。
以上のように構成されたごみ袋保持具である。
本発明の使い方を説明する。
本発明は、台所のシンクのコーナーや側面、浴室の壁に吸盤（３）を押し付け取り付け楕円形に形成した本体（１）のフレームに袋の淵を外側に被せる様に掛け、ごみを直接袋に入れることで、直接ごみに手が触れずに処理ができ衛生的で掃除が不必要、楕円形に形成した本体（１）によってコーナー、側面にも取り付けられる球体（４）は袋の底が床に着かない場合、クリップを使用することで壁の側面に対し梃子となり重さにも耐えられる。
【符号の説明】
【０００９】    １  本体
２  脚
３  吸盤
４  球体
【図１】
2011026107.tif 000003
【図２】
2011026107.tif 000004
【図３】
2011026107.tif 000005
【図４】
2011026107.tif 000006
(57)【要約】      （修正有）【課題】ちりかごの外周部に突起、上面開口部に複数の溝を設け、レジ袋などをちりかごの中へ安定的に装着する。【解決手段】ちりかご１の外周部に設けた突起２に、レジ袋の持ち手となる輪の部分を引っ掛け、輪の付け根にむかう延長部分と結び紐となる部分とを、上面開口部に設けた６箇所の溝３に挟み込み固定することにより、ちりかごの内部を汚すことなく、簡単にゴミの収納と廃棄が出来るものである。【選択図】図１
2011026108.tif 000002
【特許請求の範囲】
【請求項１】
外周部に突起、上面開口部に溝を設けたちりかご以上のように構成されたちりかご。
【発明の詳細な説明】
【発明の詳細な説明】
この発明は、ちりかごの外周部にレジ袋などの手提げとなる輪の部分と、結び紐となる部分とを、それぞれ突起と溝を用いて固定しようとするものである。
【背景技術】  従来のちりかごは、ゴミが直に捨てられていたため内部が汚れるという問題があった。このため、汚れが目立つとその都度清掃するなど、その手間が煩わしかった。
【発明が解決しようとする課題】
したがって、デザイン的にも汚れが目立たない暗色系のものが多かったので、美観にすぐれゴミの処理方法が簡単で使いやすい、ちりかごが求められていた。
【課題を解決するための手段】
ゴミは生活の中で常にどこでも発生するため、ちりかごの内部を清掃するということは、きわめてわずらわしいことである。この、処理を簡単にという家庭や公共の場における共通の課題を解決するため、ちりかごの外周部に突起、上面開口部へ溝を設け、多量に出回っているレジ袋等を本発明のちりかごへ用いることでこれらの課題を解決しようとするものである。
いま、その構成を丸型ちりかごの例で図面説明すれば。
（イ）ちりかご（１）の外周部に、レジ袋の手提げ部の持ち手となる輪の端部分（５）を引っ掛けるための突起（２）を設ける。
（ロ）レジ袋（４）の手提げ部の持ち手となる輪（５）の付け根に向かう延長部分と、結び紐部分（６）をそれぞれを挟み込めるよう、ちりかごの上面開口部に６箇所の溝（３）を設ける。
【発明実施の形態】
次に本発明の実施の形態を述べると、レジ袋の持ち手となる輪の部分（５）２箇所をそれぞれ、ちりかご（１）に設けられた突起（２）に引っ掛け、その輪の付け根に向かう延長部分も上面開口部に設けられた６箇所の溝（３）にそれぞれ挟み込む。  持ち手となる輪の部分に対して、それぞれ直角方向に配置されている結び紐部分（６）も同じように溝（３）に挟み込み、レジ袋をちりかごの中央へバランス良く押し込む。
またレジ袋各部のはみ出した端末部分の処理には、長めに作られた外側折り返し部を持つリング状のカバーで隠すとよい。さらにリング状のカバーの内側も長目にしておき、内径にキッチリとはまる構造にすると袋も安定してよい。
なお、ちりかごの形状は丸型・角型・小判型・大形と様々あるが、いずれも突起やポリ袋を挟み込むための複数の溝を設けておくことにより、ポリ袋の余裕部の数箇所を溝に挟み込むだけでバランスよく装着できる。
また突起の構造は一体成型でも、ちりかごの肉厚を利用したはめ込みでも、ネジ式でも、接着でも良い。
【発明の効果】
レジ袋の手提げ輪部分と結び紐部分が、ちりかごの突起と溝に安定的に挟まれ、更に外側返し部が長めに作られたリング状カバーで袋の端末部が隠され、内側も長目のカバーで固定されることにより、袋が一杯になっても内部に落ちる事がなくなるので、汚れが付着する心配もない。
ゴミがちりかごの中へ一杯になればリング状のカバーをとり、袋を外し手提げ輪部分または結び紐部分を結ぶことで簡単に処理と廃棄が出来る。
大量に出回り、使用後は廃棄されていたレジ袋を、再度ちりかご用のゴミ袋として使う事により、ちりかごを洗浄する事もなく資源の有効利用も同時に図れる。
【図面の簡単な説明】
【図１】本発明のちりかごの斜視図
【図２】レジ袋の斜視図
【符号の説明】１はちりかご
２は突起
３は溝
４はレジ袋
５は手提げの輪の部分
６は結び紐部分
【図１】
2011026108.tif 000003
【図２】
2011026108.tif 000004
(57)【要約】【課題】サイズ調整ができ、性別・年齢・体型を問わず、すでに持っている服に使うことができる飾り襟を提供する。【解決手段】２枚の襟状の帯（１）の後ろ部分にあるサイズ調整用の調整具（２）を用いて、自分に合うサイズに調整し、あまった帯を帯通し（３）に通す。それを本来のシャツの襟の下におき、襟状の帯（１）の前面に施された留め具（４）を留めたことを特徴とする。【選択図】図１
2011026747.tif 000002
【特許請求の範囲】
【請求項１】
襟状の帯２枚（１）の背面に長さを調整するための調整具（２）を設け、余った帯を帯通し（３）に通し、前面に左右の帯を留める留め具（４）を設けた飾り襟。
【発明の詳細な説明】
【技術分野】
【０００１】この発明は、襟状の帯を用いた飾り襟に関するものである。
【背景技術】
【０００２】従来、Ｙシャツなどの襟のある服を着用した場合、首元はネクタイやスカーフなどの定番の装飾品で飾ることが一般的であった。また、Ｙシャツの襟とＹシャツ本体を取り外せる物はあった。
【発明の概要】
【発明が解決しようとする課題】
【０００３】これには次のような欠点があった。
（イ）ネクタイやスカーフなどの装飾は誰しもがする定番スタイルであり、手持ちネクタイやスカーフの数により、ファッションが限られていた。
（ロ）襟の取り外しが出来るシャツは、専用のＹシャツと襟が対になっていることが必須であったため、手持ちの襟のある服に取り付ける事は出来なかった。
本発明はこれらの欠点を除き、よりファッションを楽しむために発明されたものである。
【課題を解決するための手段】
【０００４】襟状の帯（１）２枚を用い、後ろ部分にサイズ調整用の調整具（２）を設け、余った帯を帯通し（３）に通し、前部分に左右の飾り襟を留めるための留め具（４）を設ける。
本発明は、以上のような構成よりなる飾り襟である。
【発明の効果】
【０００５】発明は以上のような構造で、使用するときは２枚の襟状の帯（１）の後ろ部分にあるサイズ調整用の調整具（２）を用いて、自分に合うサイズに調整し、あまった帯を帯通し（３）に通す。それを本来のシャツの襟の下におき、襟状の帯（１）の前面に施された留め具（４）を留める。これにより着用時は、本来の襟の下から飾り襟が見え、この飾り襟の色やデザインなどによって個性のあるファッショナブルな着こなしが可能となる。飾り襟と本来の襟の間にネクタイやスカーフなど従来の装飾品を用いると、さらに着まわしのバリエーションを増やすことが出来る。また、サイズ調整ができるため体型を問わず、すでに持っている服の襟に着脱可能である。また、見えても良いデザインのため、本来の襟を起こし飾り襟見せて着用したり、襟のない服にも着用することができる。
【図面の簡単な説明】
【０００６】
【図１】本発明の後方からの斜視図である。
【図２】本発明の正面図である。
【図３】本発明の実施例を示す斜視図である。
【発明を実施するための形態】
【０００７】以下、本案の実施の形態について説明する。
（イ）襟状の帯（１）２枚の後ろ部分にサイズ調整のための調整具（２）を設ける。
（ロ）調整具の横に帯通し（３）を設ける。
（ハ）襟状の帯（１）の前面部分に左右を固定するとめ具（３）を設ける。
本案を使用するときは、まず襟状の帯２枚の後ろ部分にある調整具（２）を用いて、自分の首や襟のサイズに合わせ、サイズ調整で余った帯を帯通し（３）に通し、着ている服の襟の下におく。前面に施された留め具（４）で飾り襟の左右を留めることにより、本来の襟の下から飾り襟を見せるファッションとして使うことができる。また本来の襟を起こし、飾り襟の後ろ部分を見せながら用いたり、襟のない服にも付けることができる。
【符号の説明】
【０００８】１  襟状の帯
２  調整具
３  帯通し
４  留め具
【図１】
2011026747.tif 000003
【図２】
2011026747.tif 000004
【図３】
2011026747.tif 000005
(57)【要約】      （修正有）【課題】不織布や織布、あるいは、紙や合成樹脂シート等の薄葉体にでも適用することができる貼り直しを容易に行うことのできる両面粘着テープを提供する。【解決手段】両面粘着テープの少なくとも一方の粘着剤層２，３表面４，７に、多数の貫通孔６を均等に分散して形成したシート材５を貼着してあることを特徴とする両面粘着テープ。多数の貫通孔を均等に分散して形成したシート材が合成樹脂製ネットフィルムであり、穴あきフィルムシートである両面粘着テープ。【選択図】図１
2011026481.tif 000002
【特許請求の範囲】
【請求項１】
両面粘着テープの少なくとも一方の粘着剤層表面に、多数の貫通孔を均等に分散して形成したシート材を貼着してあることを特徴とする両面粘着テープ。
【請求項２】
多数の貫通孔を均等に分散して形成したシート材が合成樹脂製ネットフィルムである請求項１に記載した両面粘着テープ。
【請求項３】
多数の貫通孔を均等に分散して形成したシート材が穴あきフィルムシートである請求項１に記載した両面粘着テープ。
【発明の詳細な説明】
【技術分野】
【０００１】
本発明は、両面粘着テープに関し、特に剥離紙や剥離フィルム(以下単に、剥離ライナーという)を必要としない両面粘着テープに関するものである。
【背景技術】
【０００２】
一般の両面粘着テープは、基材の両面に粘着材を塗布し、その少なくとも一面に剥離ライナーを貼着している。ところが、このような構造の両面粘着テープでは、いったん貼ると強固な粘着力を有するため、剥がれなくなり、貼り直しが難しいという問題がある。
【０００３】
そこで、従来、シート状接着剤の少なくとも片面に、固形状の非粘着性物質による凸部を形成し、貼り直しを容易に行えるようにしたものも提案されている(特許文献１)。
【先行技術文献】
【特許文献】
【０００４】
【特許文献１】特開平７−３１００５７号広報
【発明の概要】
【発明が解決しようとする課題】
【０００５】
前記、シート状接着剤の少なくとも片面に、固形状の非粘着性物質による凸部を形成したものでは、その接着操作時に接着剤層内に凸部が埋没できる程度の弾性と厚みを必要としている。このため、建築部材の止め付けなどには適用することはできても、布帛や紙などの薄葉体への適用は難しかった。
【０００６】
本発明は、このような点に着目して、不織布や織布、あるいは、紙や合成樹脂シート等の薄葉体にでも適用することができる貼り直しを容易に行うことのできる両面粘着テープを提供することを目的とする。
【課題を解決するための手段】
【０００７】
上述の目的を達成するために、本発明は、両面粘着テープの少なくとも一方の粘着剤層表面に、多数の貫通孔を均等に分散して形成したシート材を貼着していることを特徴としている。
【発明の効果】
【０００８】
本発明では、両面粘着テープの少なくとも一方の粘着剤層表面に、多数の貫通孔を均等に分散して形成したシート材を貼着してあるので、貫通孔部分を介して、粘着テープの粘着材層が露出するがシート材を貼着した面を被接続材に当接させただけでは、粘着材層の表面にシート材が貼着してあることから粘着剤は被接続材に十分当接することができず、軽い粘着力で接着されることになる。一方、シート材を貼着した面を被接続材に対して、確りと押圧することで、粘着材層がシート材の貫通孔部分を通して、被接続材に確りと接合できることになる。
【図面の簡単な説明】
【０００９】
【図１】本発明の一実施形態を示す両面粘着テープの断面を示す模式図である。
【図２】一面を貼付部材に貼着した状態での要部取出し斜視図である。
【発明を実施するための形態】
【００１０】
図１に示す両面粘着テープは、紙、不織布、織布、ポリエステルフフィルム、ポリプロピレンフィルム、ポリアミドフィルム、ポリイミドフィルム、アルミニウム箔など従来公知の任意の支持体(１)の両面に、アクリル系感圧性接着剤、アクリル・エマルジョン系感圧接着剤、ゴム系感圧接着剤、ウレタン系感圧接着剤等に代表される感圧系接着剤を塗布して、それぞれ粘着剤層(２)(３)を形成し、一方の粘着剤層(２)の表面(４)にシート材(５)が装着してある。
【００１１】
このシート材(５)は、合成樹脂製フィルムネットや延伸強化されたポリオレフィンの割繊維を縦横に積層・熱融着したメッシュシート、あるいは多数の透孔を分散配置しているフィルム、などの表面に多数の貫通孔(６)を均等に分散して形成した穴開きシートで構成してある。
【００１２】
このように形成されている両面粘着テープの使用方法としては、図２に例示するように、例えば、シート材(４)が配設されていない側(以下、非ネット側という場合がある)の粘着剤層(３)の表面(７)を貼付部材(８)に貼り付け固定することで一体化し、この貼付部材(８)と一体化させた両面粘着テープを、シート材(５)が配設されている側(以下、ネット側という場合がある)の粘着剤層(２)の表面(４)を下地材(図示略)に載置し、必要に応じて位置調整などを行った後に圧着して、貼付部材(８)を下地材に固定する。
【００１３】
下地材と対面する粘着剤層(２)の表面(４)には、穴開きシートが配設してあるから、両面粘着テープを下地材に載置しただけでは、粘着剤層(２)は下地材との接触量を十分に確保することが出来ないことから、その結合力が弱く、いわゆる仮止めの状態となる。
【００１４】
一方、両面粘着テープを下地材に載置し、圧力を付加した場合には、粘着剤層(２)を構成している感圧系接着剤が穴開きシートの貫通孔(６)から押し出される状態となり、粘着剤層(２)は下地材との接触量を十分に確保することが出来るようになり、確りと固定できることになる。
【００１５】
本発明にかかる両面粘着テープは、下地材および貼付部材として不織布や織布あるいは紙や合成樹脂フィルムシート等などの薄葉体に適用することが出来る。
【符号の説明】
【００１６】
１…支持体、２・３…粘着剤層、４・７…粘着剤層の表面、５…シート材、６…貫通孔、８…貼付部材。
【図１】
2011026481.tif 000003
【図２】
2011026481.tif 000004